(57)【要約】【課題】従来の道路標識コーンでは、標識の光源へ電力を供給するための配線が必要であり、道路標識コーンを配置する距離が長くなった場合には、配線の煩雑さや電源の確保などの問題があった。また、道路標識コーンは強度を保つために樹脂を厚くする必要がある。このため、内部の光源を明るくする必要があり、ＬＥＤのような光源では光量が足らず、道路標識コーン全体を明るくすることができず、ＬＥＤ近辺の一部が光るような状態であった。【解決手段】本件発明では、コーン本体側面に凹溝を備え前記凹溝を頂上近くから裾に向かうように側周全体に複数配置し、コーンカバーをコーン本体にかぶせ、凹溝に光源を配置するために頂上付近に光源ユニットを配置し、前記光源はコーンカバーとコーン本体との間に配置し、前記光源ユニットは前記光源に対する電源を供給するための太陽電池を備えた道路標識コーンを提供する。【選択図】  図７
2008133665.tif 000002
【特許請求の範囲】
【請求項１】
側面に凹溝を有するコーン本体を備えた道路標識コーン。
【請求項２】
前記凹溝を頂上近くから裾に向かうように側周全体に複数配置した請求項１に記載の道路標識コーン。
【請求項３】
さらにコーンカバーをコーン本体にかぶせた請求項１又は２に記載の道路標識コーン。
【請求項４】
凹溝に光源を配置するために頂上付近に配置される光源ユニットをさらに有する請求項１から３のいずれか一に記載の道路標識コーン。
【請求項５】
前記光源はコーンカバーとコーン本体との間に配置される請求項４に記載の道路標識コーン。
【請求項６】
前記光源ユニットは前記光源に対する電源を供給するための太陽電池を備えた請求項４又は５に記載の道路標識コーン。
【発明の詳細な説明】
【技術分野】
【０００１】
本件発明は、道路工事や行事などの際に、自動車や自転車、歩行者などを誘導するために道路上に設置される、道路標識コーンに関する。
【背景技術】
【０００２】
従来、道路標識コーンは、樹脂製の円錐形で赤や黄色など、視認性のよい色彩で形成されていた。道路標識コーンは、屋外での使用や、車や歩行者の接触による破損を防ぐために、樹脂の厚さを厚くし、強度を保っていた。
【０００３】
また、屋外での使用によって、道路標識コーンは、自動車の排ガスや、埃などによって、赤や黄色など視認性のよい色彩が汚れ、視認性が低下していた。そこで、特許文献１では、道路標識コーンに、薄い樹脂などで構成された道路標識コーンカバーを取り付け、汚れにより視認性が低下した場合には、道路標識コーンカバーを交換することで、視認性を復元させている。これにより、昼間の視認性は向上し、さらに汚れを防止することで耐久性を向上させることが可能となった。
【０００４】
一方、夜間の視認性については、特許文献２に示すように、道路標識コーンの内部に光源を設置することで、道路標識コーンを光らせ、夜間の視認性を向上させている。
【特許文献１】特許出願公開番号  特開２００４−３４６７３８
【特許文献２】特許出願公開番号  特開２００５−２１５６６０
【発明の開示】
【発明が解決しようとする課題】
【０００５】
しかし、特許文献２に記載されている道路標識コーンでは、標識を光らせる光源へ電力を供給するための配線が必要であり、道路標識コーンを配置する距離が長くなった場合には、配線の煩雑さや電源の確保などの問題があった。また、前述したように道路標識コーンは強度を保つために樹脂を厚くする必要がある。このため、内部の光源を明るくする必要があり、ＬＥＤのような光源では光量が足らず、道路標識コーン全体を明るくすることができず、ＬＥＤ近辺の一部が光るような状態であった。
【発明の効果】
【０００６】
そこで、本件発明では、上記問題に鑑み、以下の道路標識コーンを提供する。すなわち、第一の発明としては、側面に凹溝を有するコーン本体を備えた道路標識コーンを提供する。
【０００７】
第二の発明としては、第一の発明にかかり、前記凹溝を頂上近くから裾に向かうように側周全体に複数配置した道路標識コーンを提供する。
【０００８】
第三の発明としては、第一の発明、第二の発明にさらにコーンカバーをコーン本体にかぶせた道路標識コーンを提供する。
【０００９】
第四の発明としては、第一から第三の発明にかかり、凹溝に光源を配置するために頂上付近に配置される光源ユニットをさらに有する道路標識コーンを提供する。
【００１０】
第五の発明としては、第四の発明にかかり、前記光源はコーンカバーとコーン本体との間に配置される道路標識コーンを提供する。
【００１１】
第六の発明としては、第四および第五の発明にかかり、前記光源ユニットは前記光源に対する電源を供給するための太陽電池を備えた道路標識コーンを提供する。
【発明を実施するための最良の形態】
【００１２】
以下、本件発明の実施の形態について、添付図面を用いて説明する。なお、本件発明は、これら実施形態に何ら限定されるべきものではなく、その要旨を逸脱しない範囲において、種々なる態様で実施し得る。
【００１３】
実施形態１は、主に請求項１、２、３などに関する。実施形態２は、主に請求項４、５、６などに関する。
<実施形態１>
<実施形態１  概要>
【００１４】
図１に本実施形態の道路標識コーンの概略図を示した。本実施形態の道路標識コーンは、略円錐形のコーン本体（０１０１）側面に、凹溝（０１０２）を有している。凹溝は単数または複数配置され、コーン本体の表面にはコーンカバーが取り付けられる構造となっている。
<実施形態１  構成>
【００１５】
本実施形態の道路標識コーンは、側面に凹溝を有するコーン本体を備えている。また、凹溝を頂上近くから裾に向かうように側周全体に複数配置され、さらにコーンカバーをコーン本体にかぶせることが可能となっている。
【００１６】
「コーン本体」は、樹脂などによって構成され、コーン本体の側面には凹溝を有している。コーン本体の形状は、図２の（ａ）に示したような略円錐形の他、（ｂ）に示した略三角錐や略四角錐などの多角形を底辺とする錐であってもよい。また用途に応じて、（ｃ）に示したような、略円柱や略三角柱、略四角柱などであってもよい。本実施形態のコーン本体には、いずれの場合も側面に凹溝を有している。
【００１７】
「凹溝」は、コーン本体の頂上から裾方向に配置されている。溝は、図３の（ａ）に示したように、コーン本体全体に配置されていてもよいし、（ｂ）や（ｃ）のように上部や下部のみであってもよい。また（ｄ）のように、側面の一部のみに配置されていてもよい。図４には、コーン本体（０４０１）を頂上方向視したときの断面図を示した。凹溝（０４０２）の断面形状は、（ａ）のような曲線の他、（ｂ）や（ｃ）のように直線で構成された溝であってもよい。
【００１８】
「コーンカバー」は、コーン本体にかぶせることが可能なシートである。図５に示したように、コーンカバー（０５０１）は、コーン本体（０５０２）全体が包まれる大きさと形状となっている。図に示したように、コーンカバーは、コーン本体上部よりコーン本体を覆うように設置される。コーンカバーを装着することで、コーン本体の汚れを防ぎ、風雨や自動車の排気ガスや埃などにさらされ汚れた場合でもコーンカバーの交換のみでメンテナンスを簡単に行うことが可能である。また、コーンカバーは透明または半透明で、図６の（ａ）に示したように、視認しやすい、赤やオレンジ、黄色などの色で着色されていたり、（ｂ）のようにコーンカバー上に文字や、（ｃ）のように矢印などの絵図が配置されていたりしてもよい。
<実施形態１  効果>
【００１９】
本実施形態の道路標識コーンは、コーン本体に凹溝を有している。コーン本体に凹溝を有することで、コーン本体の強度が増し、自動車や自転車、歩行者などが接触した場合でも破損しにくい道路標識コーンを提供することが可能である。
<実施形態２>
<実施形態２  概要>
【００２０】
本実施形態の道路標識コーンは、コーン本体の頂上付近に光源ユニットが配置され、光源はコーンカバーとコーン本体の間、つまり凹溝に配置されている。また光源ユニットには、光源へ電源を供給するための太陽電池を備えている。
<実施形態２  構成>
【００２１】
本実施形態の道路標識コーンは、凹溝に光源を配置するために頂上付近に配置される光源ユニットを有し、光源はコーンカバーとコーン本体との間に配置されている。また、光源ユニットは前記光源に対して電力を供給する電源を備えている。
【００２２】
図７に電源ユニット（０７０１）を搭載した道路標識コーンの斜視図を示した。電源ユニットはコーン本体（０７０２）とコーンカバー（０７０３）の頂上付近に設置されている。図７では、一例として、電源として太陽電池（０７０４）を用いた道路標識コーンを示している。
【００２３】
「電源ユニット」には、光源と光源に電源を供給するための電池などが配置されている。電池ユニットに配置されている光源は、電球や蛍光灯、ＬＥＤなどである。光源への電源の供給は、蓄電池や乾電池、太陽電池の他、外部から電源を供給しても良い。電源として外部から電源を供給される場合には、光源ユニットに蓄電池や乾電池、太陽電池などを配置する必要はない。また、太陽電池によって光源に電源を供給する場合には、夜間など太陽電池による発電が長時間できない場合を想定して、太陽電池で発電した電力を蓄電するための蓄電池を配置する。また、屋外の道路工事などで大量に利用される場合に、一つ一つに電源のＯＮやＯＦＦを行うのは煩雑である。そこで、明るさを自動的に検知するための照度センサーなどを電源ユニットに配置し、照度によって自動的に電源のＯＮやＯＦＦを行っても良い。
【００２４】
図８に、電源を太陽電池（０８０１）とした電源ユニットの一例の拡大図を示した。電源ユニットは、樹脂製の透明なカバー（０８０２）に覆われていて、上部に太陽電池、太陽電池の下には、太陽電池から供給される電力を蓄える蓄電池（０８０３）、電源ユニットの外周近辺には下方向に向かって多数のＬＥＤ（０８０４）が配置されている。ＬＥＤの配置位置は、電源ユニットを装着するコーン本体の凹溝にあわせて配置されている。また、ＬＥＤの点灯を自動的に行うための照度センサー（０８０５）が装着されている。
【００２５】
「光源」は、図８に示したように、電源ユニットから電源を供給されるように構成され、コーン本体とコーンカバーとの間に、コーン本体の凹溝にあわせて配置されるように構成されている。具体的には、光源は、電源ユニットに配置され、電源ユニットを道路標識コーンに搭載すると、コーン本体の凹溝の中心付近に光源が配置されるように構成されている。光源は、ＬＥＤの他に電球などであってもよいが、太陽電池から電源を供給される場合には、消費電力の少ないＬＥＤが好ましい。また外部の電源を用いる場合には、電球などであっても問題ないが、電源から道路標識コーンまでの配線が個々の道路標識コーンまで必要である。電源を太陽電池とした場合には、配線は不要であるため、道路標識コーンは、配線の位置や長さに左右されることなく、自由な位置に配置することが可能である。
【００２６】
尚、電源ユニットとコーンカバーは、雨水などによる漏電を考慮して一体として構成してもよいし、メンテナンス性などを考慮して別々に構成されていてもよい。
【００２７】
また、光源の色は、白色の他、赤色などであっても構わないが、コーン本体を覆うコーンカバーを赤色などの色つきの透明な樹脂シートとすることで、様々な色で発光させることが可能である。
<実施形態２  効果>
【００２８】
図９の（ａ）に光源としてＬＥＤを用いた道路標識コーンを点灯した時のイメージ図を示した。本実施形態の道路標識コーンは、コーン本体に凹溝が配置されており、コーン本体の頂上付近のコーン本体とコーンカバーの間に光源が配置されている。光源から発する光は、コーン本体の凹溝を照らし、頂上付近から裾付近までをほぼ均等に照らしている。これにより、凹溝をコーン本体全体に配置すると、コーン本体全体がＬＥＤにより照らされ、コーン本体全体が明るくなる。従来、コーン本体の内部にＬＥＤを光源として点灯させると、（ｂ）のように、光源であるＬＥＤの部分だけが重点的に発光し、コーン本体全体を明るくすることができなかった。これは、コーン本体の樹脂が厚いため、ＬＥＤの光がコーン本体外部へ漏れにくく、光源付近の光だけがコーン本体外部へ漏れるためである。一方、本件発明の道路標識コーンでは、ＬＥＤはコーン本体の外部に設置されており、ＬＥＤはコーンカバーにのみ覆われている。コーンカバーは、薄く光透過性の良い樹脂シートを用いることで、ＬＥＤの光量で十分にコーン本体全体を明るくすることが可能となる。
<実施形態２  具体例>
【００２９】
図１０に本実施形態の道路標識コーンの具体例を示した。本実施形態の道路標識コーンは、コーン本体（１００１）とコーン本体側面に凹溝（１００２）が配置され、コーン本体を覆うコーンカバー（１００３）と、LEDが配置されている電源ユニット（１００４）からなる。本実施形態の道路標識コーンは、コーン本体の高さが略７５０ｍｍ、コーン本体の底面の縦および横幅は略３６０ｍｍ、コーン本体の略円錐形の底部の直径が略３００ｍｍ、頂上部の直径が略８５ｍｍとなっている。電源ユニットの大きさは、直径が略８５ｍｍ、高さが略５０ｍｍとなっている。
【図面の簡単な説明】
【００３０】
【図１】実施形態１の道路標識コーンを説明する概念図
【図２】実施形態１の道路標識コーンの形状の一例を説明する概念図
【図３】実施形態１の道路標識コーンの形状の一例を説明する概念図
【図４】実施形態１の道路標識コーンの形状の一例を説明する断面図
【図５】実施形態１の道路標識コーンのコーンカバーを説明する概念図
【図６】実施形態１の道路標識コーンのコーンカバーの一例を説明する概念図
【図７】実施形態２の道路標識コーンを説明する概念図
【図８】実施形態２の電源ユニットの拡大概念図
【図９】実施形態２の道路標識コーンを説明する概念図
【図１０】本件発明の具体例
【符号の説明】
【００３１】
０１０１  コーン本体
０１０２  凹溝
０４０１  コーン本体
０４０２  凹溝
０５０１  コーンカバー
０５０２  コーン本体
０７０１  電源ユニット
０７０２  コーン本体
０７０３  コーンカバー
０７０４  太陽電池
０８０１  太陽電池
０８０２  カバー
０８０３  蓄電池
０８０４  LED
０８０５  照度センサー
【図１】
2008133665.tif 000003
【図２】
2008133665.tif 000004
【図３】
2008133665.tif 000005
【図４】
2008133665.tif 000006
【図５】
2008133665.tif 000007
【図６】
2008133665.tif 000008
【図７】
2008133665.tif 000009
【図８】
2008133665.tif 000010
【図９】
2008133665.tif 000011
【図１０】
2008133665.tif 000012